(57)【要約】【課題】鍵及びハンマ体を支持するための大きい荷重が、前側、後側２つの当接部に鉛直方向にかかるようにすると共に、フレーム前部の側面視における面積を削減可能にして、樹脂の使用量を抑制する。【解決手段】本鍵盤装置は、樹脂で一体に形成されるフレーム４０に複数の鍵１０、２０、ハンマ体３０が配設されてなる。フレーム４０に設けられたストッパ取付部４７に初期ストッパ４８が取り付けられる。フレーム４０は、ハンマ回動軸４３の直下において前側支持部４１が棚板１９と当接し、鍵支持部５３の鉛直下方において後側支持部４５が棚板１９に当接し、これら支持部４１、４５のみで棚板１９に支持される。前後方向の間におけるストッパ取付部４７と前側支持部４１との間においては、フレーム４０の側面視における最下位置である縦リブ４６の前側下縁４６ａが、ストッパ取付部４７に近いほど高い。【選択図】図２
2010078787.tif 000002
【特許請求の範囲】
【請求項１】
鍵支持部及び複数のハンマ支持部を有し、樹脂で一体に形成され、楽器本体に支持されるフレームと、
押鍵操作により各々が揺動するように前記鍵支持部に支持され、並列的に配列された複数の鍵と、
前記複数の各鍵に対応して並列的に配設され、各々、対応する鍵の下方において対応する鍵に連動して前記ハンマ支持部を中心として回動するように該ハンマ支持部に支持され、対応する鍵の揺動動作に対して慣性を付与するための複数のハンマ体と、
前記フレームに一体にまたは別体で、前記各鍵に対応して設けられ、対応する鍵の揺動動作をガイドする複数の鍵ガイド部と、
前記フレームに一体に設けられ、前記鍵ガイド部が設けられる鍵ガイド配設部と、
前記フレームに一体にまたは別体で設けられ、前記ハンマ体に当接して、押鍵往行程における前記鍵の押鍵初期位置を規制する初期ストッパと、
前記フレームに一体に設けられ、前記初期ストッパが設けられる初期ストッパ配設部と、
前記フレームに一体に、前記ハンマ支持部の直下に設けられ、前記フレームを前記楽器本体に支持するために前記楽器本体に当接する前側当接部と、
前記フレームに一体に、前記前側当接部より後方において前記鍵支持部の下方に設けられ、前記フレームを前記楽器本体に支持するために前記楽器本体に当接する後側当接部と、
前記鍵ガイド配設部及び前記初期ストッパ配設部の少なくとも一方は、前記ハンマ支持部よりも前方且つ上方に位置し、且つ、前記鍵ガイド配設部及び前記初期ストッパ配設部のうちより前方に位置するものと前記ハンマ支持部との前後方向の間においては、前記フレームの側面視における最下位置が、前記ハンマ支持部に比し前記鍵ガイド配設部及び前記初期ストッパ配設部のうちより前方に位置するものに近い位置ほど高いことを特徴とする鍵盤装置。
【請求項２】
前記フレームは、前記前側当接部及び前記後側当接部のみで前記楽器本体に支持されることを特徴とする請求項１記載の鍵盤装置。
【請求項３】
前記前側当接部には、前記ハンマ支持部が一体に形成されていることを特徴とする請求項１または２記載の鍵盤装置。
【請求項４】
前記鍵の押鍵往行程において、前記ハンマ体は、その前半部が下方に回動するように構成され、前記初期ストッパは、前記ハンマ支持部よりも前方に位置し、その下面が前記ハンマ体の前記前半部と当接することで、前記ハンマ体の回動初期位置を規制することを介して前記鍵の押鍵初期位置を規制することを特徴とする請求項１〜３のいずれか１項に記載の鍵盤装置。
【請求項５】
前記鍵ガイド配設部は、前後方向において前記初期ストッパ配設部と前記ハンマ支持部との間に位置することを特徴とする請求項１〜４のいずれか１項に記載の鍵盤装置。
【請求項６】
前記鍵ガイド及び前記鍵ガイド配設部は、それぞれ白鍵用と黒鍵用とに分かれて構成され、白鍵用の前記鍵ガイド配設部は、前記初期ストッパ配設部に一体に形成されていることを特徴とする請求項１〜４のいずれか１項に記載の鍵盤装置。
【請求項７】
前記鍵に押圧されて該鍵の動作を検出する検出手段と、前記フレームに一体に設けられ、前記検出手段が設けられる検出手段配設部とを有し、前記検出手段配設部は、前記ハンマ支持部よりも後方に位置することを特徴とする請求項１〜６のいずれか１項に記載の鍵盤装置。
【請求項８】
前記鍵ガイド部は前記フレームに一体に形成され、前記鍵ガイド部の上端位置が、前記フレームの最上位置であることを特徴とする請求項１〜７のいずれか１項に記載の鍵盤装置。
【請求項９】
前記鍵ガイド配設部及び前記初期ストッパ配設部は共に、前記ハンマ支持部よりも上方に位置することを特徴とする請求項１〜８のいずれか１項に記載の鍵盤装置。
【発明の詳細な説明】
【技術分野】
【０００１】
本発明は、樹脂で一体に形成され複数の鍵を揺動自在に支持するフレームを有する鍵盤装置に関し、特に、鍵に連動して回動して鍵に慣性を付与するハンマ体がフレームに支持される鍵盤装置に関する。
【背景技術】
【０００２】
従来、鍵盤装置において、樹脂で一体に形成され、複数の鍵を揺動自在に支持するフレームが楽器本体に支持されたものが知られている。その中でも、鍵に連動して回動し、対応する鍵の揺動動作に対して慣性を付与する複数のハンマ体がフレームに支持された鍵盤装置も知られている（下記特許文献１、２）。
【０００３】
下記特許文献１、２では、フレームが、楽器本体の一部である棚板等に当接する本体当接部にて支持される。鍵やハンマ体を回動自在に支持する鍵支持部やハンマ体支持部には、比較的大きな荷重がかかる。これらの荷重は、上記本体当接部にかかることになるため、鍵支持部、ハンマ体支持部と本体当接部との間は、リブ等の肉部を設けて接続し、力が直接に伝達されるようにするのが通常である。
【０００４】
また、上記特許文献１、２では、ハンマ体に当接して、押鍵往行程における鍵の押鍵初期位置を規制する初期ストッパがフレームに設けられ、さらに、鍵の揺動動作をガイドする鍵動作ガイドもフレームに設けられる。
【特許文献１】特許第３８１９１３６号公報
【特許文献２】特開平９−２４４６２３号公報
【発明の開示】
【発明が解決しようとする課題】
【０００５】
しかしながら、フレームにおいて、大きな荷重がかかる部分と本体当接部のレイアウトを適切にしないと、強度確保のために樹脂が無駄に使用され、重量が増すだけでなく、コストも上昇する。
【０００６】
上記特許文献１の構成をみると、フレームが、前後方向における広い領域で楽器本体に当接するので、荷重を受けるという観点からは樹脂の無駄があり、使用樹脂量が多い。
【０００７】
また、上記特許文献１、２では、フレームの肉部のうち、ハンマ体支持部よりも前方且つ下方に位置する部分が存在する。そのため、樹脂の無駄排除の余地があると考えられる。しかも、前方からみてフレームに厚みを感じさせる構成となっていて、デザインの自由度の点でも、樹脂削減を検討する価値があると考えられる。
【０００８】
本発明は上記従来技術の問題を解決するためになされたものであり、その目的は、鍵及びハンマ体を支持するための大きい荷重が、前側、後側２つの当接部に鉛直方向にかかるようにして樹脂の無駄の抑制を容易にすると共に、フレーム前部の側面視における面積を削減可能にして、樹脂の使用量を抑制することができる鍵盤装置を提供することにある。
【課題を解決するための手段】
【０００９】
上記目的を達成するために本発明の請求項１の鍵盤装置は、鍵支持部（５３）及び複数のハンマ支持部（４３）を有し、樹脂で一体に形成され、楽器本体（１９）に支持されるフレーム（４０）と、押鍵操作により各々が揺動するように前記鍵支持部に支持され、並列的に配列された複数の鍵（１０、２０）と、前記複数の各鍵に対応して並列的に配設され、各々、対応する鍵の下方において対応する鍵に連動して前記ハンマ支持部を中心として回動するように該ハンマ支持部に支持され、対応する鍵の揺動動作に対して慣性を付与するための複数のハンマ体（３０）と、前記フレームに一体にまたは別体で、前記各鍵に対応して設けられ、対応する鍵の揺動動作をガイドする複数の鍵ガイド部（５０）と、前記フレームに一体に設けられ、前記鍵ガイド部が設けられる鍵ガイド配設部（４９、４７）と、前記フレームに一体にまたは別体で設けられ、前記ハンマ体に当接して、押鍵往行程における前記鍵の押鍵初期位置を規制する初期ストッパ（４８）と、前記フレームに一体に設けられ、前記初期ストッパが設けられる初期ストッパ配設部（４７）と、前記フレームに一体に、前記ハンマ支持部の直下に設けられ、前記フレームを前記楽器本体に支持するために前記楽器本体に当接する前側当接部（４１）と、前記フレームに一体に、前記前側当接部より後方において前記鍵支持部の下方に設けられ、前記フレームを前記楽器本体に支持するために前記楽器本体に当接する後側当接部（４５）と、前記鍵ガイド配設部及び前記初期ストッパ配設部の少なくとも一方は、前記ハンマ支持部よりも前方且つ上方に位置し、且つ、前記鍵ガイド配設部及び前記初期ストッパ配設部のうちより前方に位置するものと前記ハンマ支持部との前後方向の間においては、前記フレームの側面視における最下位置（４６ａ）が、前記ハンマ支持部に比し前記鍵ガイド配設部及び前記初期ストッパ配設部のうちより前方に位置するものに近い位置ほど高いことを特徴とする。
【００１０】
好ましくは、前記フレームは、前記前側当接部及び前記後側当接部のみで前記楽器本体に支持される（請求項２）。
【００１１】
好ましくは、前記前側当接部には、前記ハンマ支持部が一体に形成されている（請求項３）。
【００１２】
好ましくは、前記鍵の押鍵往行程において、前記ハンマ体は、その前半部（３０ｆ）が下方に回動するように構成され、前記初期ストッパは、前記ハンマ支持部よりも前方に位置し、その下面（４８ａ）が前記ハンマ体の前記前半部と当接することで、前記ハンマ体の回動初期位置を規制することを介して前記鍵の押鍵初期位置を規制する（請求項４）。
【００１３】
好ましくは、前記鍵ガイド配設部は、前後方向において前記初期ストッパ配設部と前記ハンマ支持部との間に位置する（請求項５）。
【００１４】
好ましくは、前記鍵ガイド及び前記鍵ガイド配設部は、それぞれ白鍵用と黒鍵用とに分かれて構成され、白鍵用の前記鍵ガイド配設部（４７）は、前記初期ストッパ配設部に一体に形成されている（請求項６）。
【００１５】
好ましくは、前記鍵に押圧されて該鍵の動作を検出する検出手段（５９）と、前記フレームに一体に設けられ、前記検出手段が設けられる検出手段配設部（５４）とを有し、前記検出手段配設部は、前記ハンマ支持部よりも後方に位置する（請求項７）。
【００１６】
好ましくは、前記鍵ガイド部は前記フレームに一体に形成され、前記鍵ガイド部の上端位置（Ｐｈ）が、前記フレームの最上位置である（請求項８）。
【００１７】
好ましくは、前記鍵ガイド配設部及び前記初期ストッパ配設部は共に、前記ハンマ支持部よりも上方に位置する（請求項９）。
【００１８】
なお、上記括弧内の符号は例示である。
【発明の効果】
【００１９】
本発明の請求項１によれば、鍵及びハンマ体を支持するための大きい荷重が、前側、後側２つの当接部に鉛直方向にかかるようにして樹脂の無駄の抑制を容易にすると共に、フレーム前部の側面視における面積を削減可能にして、樹脂の使用量を抑制することができる。
【００２０】
請求項２によれば、樹脂の無駄を抑制することができる。
【００２１】
請求項３によれば、上下方向の省スペースを図ると共に、前側当接部とハンマ支持部とをつなぐためだけのリブ等を不要にして使用樹脂量を削減することができる。
【００２２】
請求項４によれば、初期ストッパを下方から支持する必要がなく、初期ストッパの鉛直下方におけるフレームの肉部が不要になり、フレーム前部の側面視における面積の削減が容易になる。
【００２３】
請求項５によれば、フレームを、アンダーカット部が生じないように一体成形で形成容易にして、使用樹脂量が無用に増えるのを防ぐことができる。
【００２４】
請求項６によれば、上下方向の省スペースを図ると共に、白鍵用の鍵ガイド配設部と初期ストッパ配設部とをつなぐためだけのリブ等を不要にして使用樹脂量を削減することができ、さらに、白鍵のガイド性を良好にすることができる。
【００２５】
請求項７によれば、検出手段をフレーム後半部に配置して、フレーム前部の側面視における面積削減を容易にすることができる。
【００２６】
請求項８によれば、フレーム高さを抑制することができる。
【００２７】
請求項９によれば、ハンマ体のフレームへの組み付け作業を容易にすることができる。
【発明を実施するための最良の形態】
【００２８】
以下、本発明の実施の形態を図面を参照して説明する。
【００２９】
（第１の実施の形態）
図１は、本発明の第１の実施の形態に係る鍵盤装置の内部構成を示す側面図である。本鍵盤装置は、例えば、電子鍵盤楽器に適用され、樹脂で一体に形成されるフレーム４０に、それぞれ複数の白鍵１０、黒鍵２０、ハンマ体３０が配設されてなる。本鍵盤装置に対して、奏者が位置する側を前側とする。従って、同図左方、右方がそれぞれ前方、後方である。また、左右方向については、奏者からみた方向を基準とする。
【００３０】
白鍵１０、黒鍵２０は、左右方向（「鍵並び方向」とも称する）に沿ってそれぞれ複数が並列的に配列される。ハンマ体３０は、鍵並び方向に沿って複数が並列的に配列される。ハンマ体３０は、各鍵に対応して設けられ、それぞれ対応する鍵の下方に配設され、対応する鍵の揺動動作に対して慣性を付与する。
【００３１】
図２は、フレーム４０の縦断面図である。フレーム４０は、１オクターブ分で構成されるが、複数の鍵域に亘る長さであればよく、全鍵幅に構成してもよい。
【００３２】
白鍵１０、黒鍵２０は、各々、フレーム４０の鍵支持部５３を中心に前端部が上下方向に揺動自在に鍵支持部５３に支持される。鍵支持部５３は、鍵１０、２０を揺動自在に支持できればよく、その構成は問わない。例えば、鍵１０、２０を、鍵本体がヒンジ部を介して基端部に接続されるヒンジタイプで構成した場合は、フレーム４０において、鍵の基端部を固定的に支持する箇所が、鍵支持部５３に相当する構成要素となる。この場合の鍵支持部は、鍵毎に設けられる必要はなく、複数鍵分一体の構成であってもよい。
【００３３】
ハンマ体３０は、各々、フレーム４０のハンマ回動軸４３を中心に上下方向に回動（前端部及び後端部が上下に揺動）自在にハンマ回動軸４３に支持される。白鍵１０の前部には、垂下片１１が下方に垂設され、垂下片１１の下端部が、緩衝部材を含むハンマ駆動部１２となっている。黒鍵２０も同様である。
【００３４】
図１に示すように、ハンマ体３０は、ハンマ回動軸４３と係合する係合凹部３１を有し、係合凹部３１より前方の前方延設部３０ｆと、係合凹部３１より後方の後方延設部３０ｒとを有して棒状に構成される。係合凹部３１は、後方に開口している。後方延設部３０ｒの後端部には、ハンマ体３０の全体の質量のうちのほとんどが集中している質量部３２が設けられる。ハンマ体３０全体の重心Ｇ０は、後方延設部３０ｒの後部に位置する。なお、効率よく慣性を付与する観点に限れば、前方延設部３０ｆの先端にも適当な質量部を設けてもよい。前方延設部３０ｆには、長い下側係合部３３と短い上側係合部３４とからなる蟹のハサミ状の係合部が形成されている。
【００３５】
下側係合部３３及び上側係合部３４は、対応する白鍵１０、黒鍵２０のハンマ駆動部１２と常に係合状態にあり、ハンマ体３０が、対応する鍵に連動して往方向及び復方向の双方に回動するようになっている。詳細な図示はされていないが、ハンマ駆動部１２は、下側だけでなく上側にも側面視で弧状部分が形成されており、下側係合部３３と上側係合部３４とに摺動自在に挟まれた構成になっている。これにより、ハンマ体３０が、鍵１０、２０に対してがたつきなく押離鍵双方向に円滑に連動する。下側係合部３３、上側係合部３４のうち、ハンマ駆動部１２と直接に当接係合する部分が、被駆動部３３ａ、当接係合部３４ａである。
【００３６】
図１においては、白鍵１０、黒鍵２０、ハンマ体３０は、押鍵されていない初期状態が示される。白鍵１０、ハンマ体３０については、押鍵終了状態のものが、白鍵１０−Ｅ、ハンマ体３０−Ｅとして併せて示されている。
【００３７】
フレーム４０は、射出成形による一体成形で製造される。フレーム４０は、棚板１９（図１、図２参照）の上に配設固定される。棚板１９は、楽器本体の一部であればよく、呼称は問わず、下ケースの底板等であってもよい。フレーム４０は、鍵並び方向全長に亘って一体に延設される部分を、鍵並び方向において互いに離間した複数の縦リブ４６で接続した構成を採る。
【００３８】
まず、図２に示すように、フレーム４０において、ストッパ取付部４７が最前部に設けられる。ストッパ取付部４７より後方で上方には、鍵ガイド連結部４９が設けられる。鍵ガイド連結部４９よりやや後方で且つ最下部には、前側支持部４１が設けられる。フレーム４０の後部の最下部には、後側支持部４５が設けられる。前側支持部４１及び後側支持部４５の下端は、棚板１９に直接当接する。フレーム４０は、前側支持部４１及び後側支持部４５の２箇所のみで、棚板１９に支持され、樹脂の無駄が抑制されている。
【００３９】
後側支持部４５から後側壁部６０が、前側への段差を形成して垂直に上方に立ち上がり、後側壁部６０の上部から、前方に鍵支持部連結部５１が一体に延設される。鍵支持部連結部５１の前部から、下側への段差を形成して、板状部５４が、前方やや斜め下方に向かって延設されている。板状部５４は、フレーム４０の前後方向中間付近であって、前側支持部４１よりも後方の位置まで延設されている。
【００４０】
特に、ストッパ取付部４７、鍵ガイド連結部４９、前側支持部４１、鍵支持部連結部５１、板状部５４は、上記した、「鍵並び方向全長に亘って一体に延設される部分」に該当する。これらと後側支持部４５及び後側壁部６０が、互いに縦リブ４６で一体に接続されている（図２参照）。縦リブ４６は、複数鍵に対して１つ設けられ、一例として、１オクターブあたり２〜３個設けられるが、数は問わない。
【００４１】
図１に示すように、ストッパ取付部４７の下面４７ａには、ハンマ体３０の下側係合部３３と当接して、押鍵往行程におけるハンマ体３０の回動初期位置を規制するための初期ストッパ４８が取り付けられる。非押鍵状態では、ハンマ体３０は、質量部３２の重みによって後方延設部３０ｒが下がるので、初期ストッパ４８の下面４８ａに下側係合部３３の上面３３ｂが常時当接している。一方、下側係合部３３と白鍵１０、黒鍵２０のハンマ駆動部１２とは常時係合している。そのため、ハンマ体３０の回動初期位置が規制されることで、白鍵１０、黒鍵２０の押鍵初期位置である非押鍵位置も間接的に規制され、非押鍵状態における白鍵１０、黒鍵２０の各上面である押鍵面の高さが面一に揃うようになっている。
【００４２】
初期ストッパ４８は、下面４８ａでハンマ体３０の下側係合部３３に当接するので、ストッパ取付部４７において、初期ストッパ４８を下方から支持する必要がない。そのため、初期ストッパ４８の鉛直下方におけるフレーム４０の肉部が不要になり、フレーム４０の前部の側面視における面積の削減が容易になっている。
【００４３】
板状部５４の下面には、ハンマ体３０の後方延設部３０ｒの質量部３２と当接してハンマ体３０の回動終了位置を規制するための終了ストッパ５５が取り付けられる。押鍵操作により、鍵１０、２０のハンマ駆動部１２がハンマ体３０の下側係合部３３の被駆動部３３ａを駆動し、ハンマ体３０が図１の反時計方向に回動する。そして、後方延設部３０ｒが終了ストッパ５５に当接すると、押鍵往行程における鍵１０、２０及びハンマ体３０の押鍵終了位置乃至回動終了位置が規制される。押鍵終了状態から離鍵操作すると、復行程となり、ハンマ体３０は、質量部３２の重みによって時計方向に回動し、初期位置に復帰する。その際、ハンマ体３０の被駆動部３３ａが、鍵１０、２０のハンマ駆動部１２を駆動し、鍵１０、２０が初期位置に復帰する。
【００４４】
初期ストッパ４８、終了ストッパ５５は、いずれも、フェルト等の緩衝機能を有する部材で構成され、鍵並び方向全長に亘って一体に設けられるが、ハンマ体３０毎に設けてもよい。なお、初期ストッパ４８、終了ストッパ５５としては、エラストマ等の軟質材を採用し、それぞれ２色成形による一体成形でフレーム４０と一体に形成してもよい。板状部５４の上面には、複数の基板取付部５６、５７が一体に形成され、基板取付部５６、５７に、基板５８が螺合固定される。
【００４５】
基板５８上には、各鍵に対応する鍵スイッチ５９等が配設される。鍵スイッチ５９は、対応する鍵１０、２０に押圧されて、当該鍵１０、２０の押鍵動作を検出する。楽器本体には、不図示の楽音発生装置が備えられ、鍵スイッチ５９の検出結果に基づいて楽音が発生するようになっている。
【００４６】
図１、図２に示すように、鍵ガイド連結部４９からは、鍵ガイド部５０が上方に一体に突設形成される。鍵ガイド部５０は、各鍵に対応して設けられ、対応する鍵の揺動動作をガイドする。鍵ガイド部５０としては、フレーム４０とは別体に形成したものを固着して設けてもよい。前側支持部４１の上面４１ａからは、一対の突設片４２が各ハンマ体３０に対応して突設形成されている。一対の突設片４２の間に、上記したハンマ回動軸４３が形成される。鍵ガイド連結部４９及びストッパ取付部４７は共に、ハンマ回動軸４３よりも前方且つ上方に位置する。
【００４７】
鍵ガイド連結部４９は、前後方向においてストッパ取付部４７とハンマ回動軸４３との間に位置するので、フレーム４０を、アンダーカット部が生じないように金型による射出一体成形で形成容易であり、使用樹脂量が無用に増えるのが防止されている。
【００４８】
また、突設片４２及びハンマ回動軸４３が、前側支持部４１に一体に形成されていることで、上下方向の省スペースを図ると共に、前側支持部４１とハンマ回動軸４３とをつなぐためだけのリブ等を不要にして使用樹脂量を削減することができる。また、鍵スイッチ５９が配設される板状部５４が、ハンマ回動軸４３よりも後方に位置するので、フレーム４０の前部における側面視における面積削減を容易にし、樹脂削減に寄与している。さらに、鍵ガイド部５０がフレーム４０に一体に形成され、鍵ガイド部５０の上端位置Ｐｈが、フレーム４０の最上位置にも該当するので、フレーム４０の高さが抑制されている。
【００４９】
前側支持部４１にはまた、複数のボス４４が一体に形成されている。さらに、図示はしないが、後側支持部４５にも、複数のボスが一体に形成されている。これらボス４４等に設けられた不図示のネジ穴に、下方から棚板１９を螺合固定することで、楽器本体にフレーム４０が固定される。
【００５０】
鍵支持部連結部５１の上面には、一対の突設片５２が、各鍵に対応して鍵支持部連結部５１に一体に突設形成されている。一対の突設片５２の互いに対向する面にはそれぞれ、上記した鍵支持部５３が形成されている。
【００５１】
上記した初期ストッパ４８、鍵ガイド部５０、ハンマ回動軸４３、鍵支持部５３、鍵スイッチ５９、終了ストッパ５５は、いずれも、本鍵盤装置の使用時に、本鍵盤装置の構成要素のうちフレーム４０以外の構成要素と当接係合するものであり、フレーム４０に、鍵１０、２０及びハンマ体３０を適切に支持する鍵フレーム乃至ハンマフレームとしての機能を果たさせるための構成要素である。これらの構成要素を、「フレーム機能部」と呼称する。前側支持部４１、後側支持部４５についても、それら自身が棚板１９に直接当接して固定される機能を有するので、「フレーム機能部」にも相当する。
【００５２】
一方、鍵ガイド連結部４９、前側支持部４１、鍵支持部連結部５１、板状部５４は、複数の同じ構成要素同士（鍵ガイド部５０、ハンマ回動軸４３、鍵支持部５３、鍵スイッチ５９）を鍵並び方向に連結する役割を果たす。ストッパ取付部４７は、初期ストッパ４８が取り付けられる部分であって、鍵並び方向において一体に連続する部分である。板状部５４は、終了ストッパ５５が取り付けられると共に、基板取付部５６、５７を介して基板５８が取り付けられる部分であって、鍵並び方向において一体に連続する部分である。前側支持部４１、後側支持部４５はそれぞれ、棚板１９と当接して、押鍵時等に棚板１９から反力を受ける部分であって、鍵並び方向において一体に連続して形成された部分である。これら鍵ガイド連結部４９、前側支持部４１、鍵支持部連結部５１、板状部５４、ストッパ取付部４７、後側支持部４５を、「一体連続部」と呼称する。
【００５３】
この「一体連続部」を定義すると、「フレーム４０に一体に形成され鍵並び方向において複数鍵域に亘って一体に連続する部分であって、且つ、直接またはフレーム機能部を介して外力を受ける部分、及び／又は、フレーム４０とは別体に構成される構成要素が取り付けられる部分」である。
【００５４】
図２に示すように、ストッパ取付部４７と前側支持部４１との間におけるフレーム４０の前部下部である、縦リブ４６の前側下縁４６ａは、前側支持部４１からストッパ取付部４７に近づくにつれて高くなっている。すなわち、前後方向の間におけるストッパ取付部４７と前側支持部４１との間においては、前後方向におけるどの位置においても、縦リブ４６の前側下縁４６ａが、フレーム４０の側面視における最下位置となっている。そして、該最下位置である前側下縁４６ａが、ストッパ取付部４７に近いほど高い。これにより、フレーム４０の前部の側面視における面積が小さくなっていて、樹脂量が削減されている。
【００５５】
ハンマ体３０は、フレーム４０への組み付け時には、ハンマ体３０の長手方向を前後方向にほぼ平行にした姿勢で、前方からフレーム４０内に挿入される。ハンマ体３０の係合凹部３１が後方に開口しているので、ハンマ体３０を後方に平行移動させていくと、係合凹部３１がハンマ回動軸４３に自然に嵌合される。
【００５６】
初期ストッパ４８が設けられるストッパ取付部４７と終了ストッパ５５が設けられる板状部５４は、共に、ハンマ回動軸４３よりも上方に位置するので、フレーム４０へのハンマ体３０の組み付けの際、邪魔にならず、作業が容易である。しかも、鍵ガイド部５０が設けられる鍵ガイド連結部４９もハンマ回動軸４３よりも上方に位置するので、鍵ガイド連結部４９も邪魔にならない。また、ストッパ取付部４７と板状部５４とは、前後方向において、ハンマ回動軸４３を挟んで反対側に位置するので、フレーム４０の一体成形が容易になっている。前後方向の位置に関し、ストッパ取付部４７及び鍵ガイド連結部４９が、ハンマ回動軸４３に対してずれているので、この点でも、アンダーカット部が生じないように金型による射出一体成形で形成が容易である。
【００５７】
一般に、ハンマ体３０において、初期ストッパ４８の下面４８ａに当接する下側係合部３３の上面３３ｂからハンマ回動軸４３までの距離は、長すぎると、当接時の下側係合部３３の速度が高くなるため、初期ストッパ４８の繰り返しによる変形が大きい。衝撃に耐えるために、初期ストッパ４８の厚みを厚くしておくと、厚み自体の各ハンマ体３０毎のばらつきが大きくなるため、押鍵面の高さのばらつきに繋がる。さらに、上面３３ｂからハンマ回動軸４３までの距離が長すぎると、上面３３ｂからハンマ回動軸４３までの間のハンマ体３０の反りや変形が、対応する鍵１０、２０の押鍵初期位置に影響し、押鍵面の高さのばらつきに繋がる。
【００５８】
本実施の形態では、図１に示すように、ハンマ体３０の設計上、上面３３ｂからハンマ回動軸４３（乃至係合凹部３１）までの距離が、ハンマ回動軸４３（乃至係合凹部３１）から重心Ｇ０までの距離よりも短くなっている。これにより、ハンマ回動軸４３から上面３３ｂまでの反りや変形が、対応する鍵１０、２０の押鍵面高さに与える影響を小さくすることができる。しかも、上面３３ｂの初期ストッパ４８への当接時の速度が低くなるようにして、繰り返しによる初期ストッパ４８の変形を抑制し、押鍵面高さの不揃いを抑制することができる。
【００５９】
一方で、上面３３ｂからハンマ回動軸４３までの距離が短すぎると、初期ストッパ４８の厚みのわずかな差異が、押鍵面の高さのばらつきに繋がる。そこで、本実施の形態では、被駆動部３３ａを挟んでハンマ回動軸４３の反対側に上面３３ｂを有するようにした。これにより、ハンマ回動軸４３から上面３３ｂまでの長さをある程度（適切に）確保して、初期ストッパ４８の厚みのばらつきが押鍵面高さに与える影響を小さくすることができる。
【００６０】
本実施の形態によれば、フレーム４０は、ハンマ回動軸４３の直下において前側支持部４１が棚板１９と当接し、鍵支持部５３の鉛直下方において後側支持部４５が棚板１９に当接する。そして、前側支持部４１及び後側支持部４５の２箇所のみで、棚板１９に支持される。これにより、ハンマ体３０及び鍵１０、２０を支持するための大きい荷重が、前側、後側２つの当接部である前側支持部４１及び後側支持部４５に鉛直方向にかかるようにして、強度保持のための樹脂の無駄の抑制を容易にすることができる。なお、樹脂の無駄防止の点では不利であるが、荷重支持の観点に限れば、前側支持部４１及び後側支持部４５以外の部分で棚板１９に当接する部分を設けても支障はない。
【００６１】
また、フレーム４０の側面視における最下位置である縦リブ４６の前側下縁４６ａが、ハンマ回動軸４３からストッパ取付部４７に近いほど高いので、フレーム４０の前部の側面視における面積を削減可能にして、樹脂の使用量を抑制することができる。樹脂の削減は、軽量化やコスト削減に繋がる。しかしそれだけでなく、特に、前側下縁４６ａが前側ほど高いことから、前方からみてフレーム４０を薄く見せることが容易となり、デザインの自由度も高まる。
【００６２】
本実施の形態によればまた、非押鍵状態においてハンマ体３０が初期ストッパ４８の下面４８ａに当接することで、押鍵往行程におけるハンマ体３０の回動初期位置が規制されることを介して、対応する鍵１０、２０の押鍵初期位置が規制される。これにより、ハンマ体３０において質量が集中していない側の半部である前方延設部３０ｆが初期ストッパ４８に当接するようにして、初期ストッパ４８への当接力を小さくし、初期ストッパ４８の必要な厚みを薄くでき、非押鍵状態における押鍵面高さを均一に揃えやすくすることができる。
【００６３】
なお、ハンマ体３０の係合凹部３１とフレーム４０のハンマ回動軸４３との雄雌関係は、逆にしてもよい。
【００６４】
（第２の実施の形態）
第１の実施の形態では、鍵ガイド部５０については、白鍵１０用と黒鍵２０用とが、前後方向において同一位置に配置された。これに対し、本発明の第２の実施の形態では、白鍵１０用と黒鍵２０用とに配設位置を分けて構成する。
【００６５】
図３（ａ）は、本発明の第２の実施の形態に係る鍵盤装置の前部の内部構成を示す側面図である。同図に示すように、鍵ガイド部５０は、白鍵１０用の鍵ガイド部５０Ｗと黒鍵２０用の鍵ガイド部５０Ｂとに分けて構成される。鍵ガイド部５０Ｂは、第１の実施の形態と同様に、鍵ガイド連結部４９に一体に形成される。しかし、鍵ガイド部５０Ｗは、ストッパ取付部４７から上方に一体に突設形成される。その他の構成は、第１の実施の形態と同様である。
【００６６】
本実施の形態によれば、第１の実施の形態と同様の効果を奏するだけでなく、鍵ガイド部５０Ｗを鍵ガイド部５０Ｂより前方に配設したことで、白鍵１０のガイド性を良好にすることができる。また、ストッパ取付部４７が鍵ガイド部５０Ｗを配設するための鍵ガイド配設部を実質的に兼ねるので、フレーム４０の上下方向の省スペースを図ると共に、鍵ガイド部５０Ｗ用の鍵ガイド配設部とストッパ取付部４７とをつなぐためだけのリブ等を不要にして使用樹脂量を削減することができる。
【００６７】
なお、前側支持部４１の側面視形状は、図３（ｂ）に示すように、下部が前後に少し開いた形状であってもよい。
【００６８】
なお、第１、第２の実施の形態において、ストッパ取付部４７と鍵ガイド連結部４９との前後方向の位置が逆転する構成も考えられる。あるいは、鍵支持部５３を廃止して、鍵１０、２０を、幅広ヒンジを軸に揺動するように構成した場合等のように、鍵ガイド部５０及び鍵ガイド連結部４９が不要な構成も考えられる。
【００６９】
そのような場合においても、フレーム４０の前部の側面視における面積を削減可能にして樹脂の使用量を抑制する観点からは、縦リブ４６の前側下縁４６ａが、ストッパ取付部４７及び鍵ガイド連結部４９のうち、より前方に位置するものとハンマ回動軸４３との前後方向の間におけるフレーム４０の側面視における最下位置となるように、縦リブ４６を設ければよい。
【００７０】
第１、第２の実施の形態において、ハンマ体３０において質量が集中していない側の半部が初期ストッパ４８の下面４８ａに当接するようにして初期ストッパ４８への当接力を小さくする観点に限れば、ハンマ体３０の配設方向について、変形例が考えられる。
【００７１】
例えば、図４（ａ）に第１変形例を模式的に示すように、ハンマ体３０を前後逆にして、質量部３２を前方延設部３０ｙの先端に設ける。さらに、終了ストッパ５５を、フレーム４０の前部に形成したストッパ取付部６１に設けると共に、初期ストッパ４８を、フレーム４０の後部に形成したストッパ取付部６２に設ける。白鍵１０のハンマ駆動部１２は、ハンマ体３０のハンマ回動軸４３より後側の後方延設部３０ｘを駆動する。不図示の黒鍵２０についても同様である。非押鍵状態においては、自重により後方延設部３０ｘが初期ストッパ４８の下面４８ａに当接して、ハンマ体３０の回動初期位置が規制される。一方、押鍵動作に連動して、ハンマ体３０の前方延設部３０ｙが上昇し、終了ストッパ５５に当接して、回動終了位置が規制される。
【００７２】
また、同様の観点に限れば、ハンマ体３０の回動初期位置、回動終了位置をそれぞれ規制する両ストッパは、双方ともフレーム４０の前部、または双方ともフレーム４０の後部に配設してもよい。例えば、双方とも前部に配設する場合は、図４（ｂ）に第２変形例を模式的に示すように、初期ストッパ４８だけでなく、終了ストッパ５５も、前側に設ける。すなわち、終了ストッパ５５を、フレーム４０の前部に形成したストッパ取付部６３に設ける。終了ストッパ５５の上面に、ハンマ体３０の下側係合部３３が当接して、ハンマ体３０の回動終了位置が規制される。
【００７３】
あるいは、上記両ストッパを双方ともフレーム４０の後部に配設する場合は、図４（ａ）に示す第１変形例において、図４（ｂ）に示したストッパ取付部６３を、フレーム４０の後部において後方延設部３０ｘの下方に形成し、終了ストッパ５５をそのストッパ取付部６３の上に設ける。後方延設部３０ｘが終了ストッパ５５の上面に当接してハンマ体３０の回動終了位置が規制される。
【図面の簡単な説明】
【００７４】
【図１】本発明の第１の実施の形態に係る鍵盤装置の内部構成を示す側面図である。
【図２】フレームの縦断面図である。
【図３】本発明の第２の実施の形態に係る鍵盤装置の前部の内部構成を示す側面図（図（ａ））、前側支持部の変形例の側面図（図（ｂ））である。
【図４】第１、第２変形例の鍵盤装置を模式的に示す側面図（図（ａ）、（ｂ））である。
【符号の説明】
【００７５】
１０  白鍵、  １９  棚板（楽器本体）、  ２０  黒鍵、  ３０  ハンマ体、  ３０ｆ  前方延設部（前半部）、  ４０  フレーム、  ４１  前側支持部（前側当接部）、  ４３  ハンマ回動軸（ハンマ支持部）、  ４５  後側支持部（後側当接部）、  ４６  縦リブ、  ４６ａ  前側下縁（最下位置）、  ４７  ストッパ取付部（鍵ガイド配設部、初期ストッパ配設部）、  ４８  初期ストッパ、  ４８ａ  下面、  ４９  鍵ガイド連結部（鍵ガイド配設部）、  ５０  鍵ガイド部、  ５３  鍵支持部、  ５４  板状部（検出手段配設部）、  ５９  鍵スイッチ（検出手段）、  Ｐｈ  上端位置
【図１】
2010078787.tif 000003
【図２】
2010078787.tif 000004
【図３】
2010078787.tif 000005
【図４】
2010078787.tif 000006